【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
１色以上のインクを吐出する記録ヘッドを用い、画像を形成するインクジェット記録方法において、
記録媒体の両面に画像を記録するか否かを設定する設定工程と、
前記画像に文字情報以外の情報が含まれているか否かを判断する判断工程と、
前記画像を構成する個々の画素が有する多値の輝度データをインク色に応じた多値濃度データに変換する第１変換工程と、
前記多値濃度データを２値データに変換する第２変換工程と、
前記２値データに基づいて前記記録ヘッドよりインクを吐出させる工程と
を有し、
前記第１変換工程は、前記設定工程で両面記録が設定された場合、前記輝度データの値が同じであっても、前記判断工程で文字情報以外の情報が含まれていないと判断されたときに前記画素に記録されるインク量が、前記判断工程で文字情報以外の情報が含まれていると判断されたときに前記画素に記録されるインク量よりも多くなるように、前記輝度データを前記多値濃度データに変換することを特徴とするインクジェット記録方法。
【請求項２】
前記第１変換工程は、予め用意された変換テーブルを用いて前記多値の輝度データをインク色に応じた前記多値濃度データに変換するものであり、前記判断工程において文字情報以外の情報が含まれていると判断された場合に適用される前記変換テーブルと、文字情報以外の情報が含まれていないと判断された場合に適用される前記変換テーブルは互いに異なることを特徴とする請求項１に記載のインクジェット記録方法。
【請求項３】
１色以上のインクを吐出する記録ヘッドを用い、画像を形成するインクジェット記録方法において、
記録媒体の両面に画像を記録するか否かを設定する設定工程と、
該設定工程によって両面記録が設定された場合に、前記画像に含まれる文字情報以外の情報の量を検出する検出工程と、
前記文字情報以外の情報の量と予め定められた閾値を比較する比較工程と、
前記画像を構成する個々の画素が有する多値の輝度データをインク色に応じた多値濃度データに変換する第１変換工程と、
前記多値濃度データを２値データに変換する第２変換工程と、
前記２値データに基づいて前記記録ヘッドよりインクを吐出させる工程と
を有し、
前記第１変換工程は、前記輝度データの値が同じであっても、前記比較工程で文字情報以外の情報が前記閾値以下であると判断されたときに前記画素に記録されるインク量が、前記比較工程で文字情報以外の情報が前記閾値より大きいと判断されたときに前記画素に記録されるインク量よりも多くなるように、前記輝度データを前記多値濃度データに変換することを特徴とするインクジェット記録方法。
【請求項４】
前記第１変換工程は、予め用意された変換テーブルを用いて前記多値の輝度データをインク色に応じた前記多値濃度データに変換するものであり、前記比較工程において前記文字情報以外の情報の量が前記閾値よりも大きいと判断された場合に適用される前記変換テーブルと、前記文字情報以外の情報の量が前記閾値以下と判断された場合に適用される前記変換テーブルは互いに異なることを特徴とする請求項３に記載のインクジェット記録方法。
【請求項５】
１色以上のインクを吐出する記録ヘッドを用い、画像を形成するインクジェット記録方法において、
記録媒体の両面に画像を記録するか否かを設定する設定工程と、
該設定工程によって両面記録が設定された場合に、前記画像を構成する個々の画素について文字を構成する画素であるか否かを判断する判断工程と、
前記個々の画素が有する多値の輝度データをインク色に応じた多値濃度データに変換する第１変換工程と、
前記多値濃度データを２値データに変換する第２変換工程と、
前記第１変換工程は、前記輝度データの値が同じであっても、前記判断工程で文字情報を構成する画素であると判断されたときに前記画素に記録されるインク量が、前記判断工程で文字情報を構成する画素でないと判断されたときに前記画素に記録されるインク量よりも多くなるように、前記輝度データを前記多値濃度データに変換することを特徴とするインクジェット記録方法。
【請求項６】
前記第１変換工程は、予め用意された変換テーブルを用いて前記多値の輝度データをインク色に応じた前記多値濃度データに変換するものであり、前記判断工程において文字情報を構成する画素であると判断された画素に適用される前記変換テーブルと、文字情報を構成する画素でないと判断された画素に適用される前記変換テーブルは互いに異なることを特徴とする請求項５に記載のインクジェット記録方法。
【請求項７】
前記インク色は、シアン、マゼンタ、イエローおよびブラックの４色であることを特徴とする請求項１乃至６のいずれかに記載のインクジェット記録方法。
【請求項８】
１色以上のインクを吐出する記録ヘッドを用い、画像を形成するインクジェット記録システムにおいて、
記録媒体の両面に画像を記録するか否かを設定する設定手段と、
前記画像に文字情報以外の情報が含まれているか否かを判断する判断手段と、
前記画像を構成する個々の画素が有する多値の輝度データをインク色に応じた多値濃度データに変換する第１変換手段と、
前記多値濃度データを２値データに変換する第２変換手段と、
前記２値データに基づいて前記記録ヘッドよりインクを吐出させる手段と
を具備し、
前記第１変換手段は、前記設定手段で両面記録が設定された場合、前記輝度データの値が同じであっても、前記判断手段で文字情報以外の情報が含まれていないと判断されたときに前記画素に記録されるインク量が、前記判断手段で文字情報以外の情報が含まれていると判断されたときに前記画素に記録されるインク量よりも多くなるように、前記輝度データを前記多値濃度データに変換することを特徴とするインクジェット記録システム。
【請求項９】
１色以上のインクを吐出する記録ヘッドを用い、画像を形成するインクジェットシステムにおいて、
記録媒体の両面に画像を記録するか否かを設定する設定手段と、
該設定手段によって両面記録が設定された場合に、前記画像に含まれる文字情報以外の情報の量を検出する検出手段と、
前記文字情報以外の情報の量と予め定められた閾値を比較する比較手段と、
前記画像を構成する個々の画素が有する多値の輝度データをインク色に応じた多値濃度データに変換する第１変換手段と、
前記多値濃度データを２値データに変換する第２変換手段と、
前記２値データに基づいて前記記録ヘッドよりインクを吐出させる手段と
を具備し、
前記第１変換手段は、前記輝度データの値が同じであっても、前記比較手段で前記文字情報以外の情報の量が前記閾値以下と判断されたときに前記画素に記録されるインク量が、前記比較手段で前記文字情報以外の情報の量が前記閾値よりも大きいと判断されたときに前記画素に記録されるインク量よりも多くなるように、前記輝度データを前記多値濃度データに変換することを特徴とするインクジェット記録システム。
【請求項１０】
１色以上のインクを吐出する記録ヘッドを用い、画像を形成するインクジェット記録システムにおいて、
記録媒体の両面に画像を記録するか否かを設定する設定手段と、
該設定手段によって両面記録が設定された場合に、前記画像を構成する個々の画素について文字を構成する画素であるか否かを判断する判断手段と、
前記個々の画素が有する多値の輝度データをインク色に応じた多値濃度データに変換する第１変換手段と、
前記多値濃度データを２値データに変換する第２変換手段と、
前記２値データに基づいて前記記録ヘッドよりインクを吐出させる手段と
を具備し、
前記第１変換手段は、前記輝度データの値が同じであっても、前記判断手段で文字情報を構成する画素であると判断されたときに前記画素に記録されるインク量が、前記判断手段で文字情報を構成する画素でないと判断されたときに前記画素に記録されるインク量よりも多くなるように、前記輝度データを前記多値濃度データに変換することを特徴とするインクジェット記録システム。
【請求項１１】
請求項８乃至１０のいずれかに記載のインクジェット記録システムに適用可能で、２値データに基づいて１色以上のインクを吐出する記録ヘッドを用いて記録を行うことを特徴とするインクジェット記録装置。
【請求項１２】
請求項１乃至７のいずれかに記載のインクジェット記録方法をコンピュータに実行させるための制御プログラム。
【手続補正２】
【補正対象書類名】明細書
【補正対象項目名】００１４
【補正方法】変更
【補正の内容】
【００１４】
そのために本発明においては、１色以上のインクを吐出する記録ヘッドを用い、画像を形成するインクジェット記録方法において、記録媒体の両面に画像を記録するか否かを設定する設定工程と、前記画像に文字情報以外の情報が含まれているか否かを判断する判断工程と、前記画像を構成する個々の画素が有する多値の輝度データをインク色に応じた多値濃度データに変換する第１変換工程と、前記多値濃度データを２値データに変換する第２変換工程と、前記２値データに基づいて前記記録ヘッドよりインクを吐出させる工程とを有し、前記第１変換工程は、前記設定工程で両面記録が設定された場合、前記輝度データの値が同じであっても、前記判断工程で文字情報以外の情報が含まれていないと判断されたときに前記画素に記録されるインク量が、前記判断工程で文字情報以外の情報が含まれていると判断されたときに前記画素に記録されるインク量よりも多くなるように、前記輝度データを前記多値濃度データに変換することを特徴とする。
【手続補正３】
【補正対象書類名】明細書
【補正対象項目名】００１５
【補正方法】変更
【補正の内容】
【００１５】
また、１色以上のインクを吐出する記録ヘッドを用い、画像を形成するインクジェット記録方法において、記録媒体の両面に画像を記録するか否かを設定する設定工程と、該設定工程によって両面記録が設定された場合に、前記画像に含まれる文字情報以外の情報の量を検出する検出工程と、前記文字情報以外の情報の量と予め定められた閾値を比較する比較工程と、前記画像を構成する個々の画素が有する多値の輝度データをインク色に応じた多値濃度データに変換する第１変換工程と、前記多値濃度データを２値データに変換する第２変換工程と、前記２値データに基づいて前記記録ヘッドよりインクを吐出させる工程とを有し、前記第１変換工程は、前記輝度データの値が同じであっても、前記比較工程で文字情報以外の情報が前記閾値以下であると判断されたときに前記画素に記録されるインク量が、前記比較工程で文字情報以外の情報が前記閾値より大きいと判断されたときに前記画素に記録されるインク量よりも多くなるように、前記輝度データを前記多値濃度データに変換することを特徴とする。
【手続補正４】
【補正対象書類名】明細書
【補正対象項目名】００１６
【補正方法】変更
【補正の内容】
【００１６】
また、１色以上のインクを吐出する記録ヘッドを用い、画像を形成するインクジェット記録方法において、記録媒体の両面に画像を記録するか否かを設定する設定工程と、該設定工程によって両面記録が設定された場合に、前記画像を構成する個々の画素について文字を構成する画素であるか否かを判断する判断工程と、前記個々の画素が有する多値の輝度データをインク色に応じた多値濃度データに変換する第１変換工程と、前記多値濃度データを２値データに変換する第２変換工程と、前記第１変換工程は、前記輝度データの値が同じであっても、前記判断工程で文字情報を構成する画素であると判断されたときに前記画素に記録されるインク量が、前記判断工程で文字情報を構成する画素でないと判断されたときに前記画素に記録されるインク量よりも多くなるように、前記輝度データを前記多値濃度データに変換することを特徴とする。
【手続補正５】
【補正対象書類名】明細書
【補正対象項目名】００１７
【補正方法】変更
【補正の内容】
【００１７】
また、１色以上のインクを吐出する記録ヘッドを用い、画像を形成するインクジェット記録システムにおいて、記録媒体の両面に画像を記録するか否かを設定する設定手段と、前記画像に文字情報以外の情報が含まれているか否かを判断する判断手段と、前記画像を構成する個々の画素が有する多値の輝度データをインク色に応じた多値濃度データに変換する第１変換手段と、前記多値濃度データを２値データに変換する第２変換手段と、前記２値データに基づいて前記記録ヘッドよりインクを吐出させる手段とを具備し、前記第１変換手段は、前記設定手段で両面記録が設定された場合、前記輝度データの値が同じであっても、前記判断手段で文字情報以外の情報が含まれていないと判断されたときに前記画素に記録されるインク量が、前記判断手段で文字情報以外の情報が含まれていると判断されたときに前記画素に記録されるインク量よりも多くなるように、前記輝度データを前記多値濃度データに変換することを特徴とする
【手続補正６】
【補正対象書類名】明細書
【補正対象項目名】００１８
【補正方法】変更
【補正の内容】
【００１８】
更に、１色以上のインクを吐出する記録ヘッドを用い、画像を形成するインクジェットシステムにおいて、記録媒体の両面に画像を記録するか否かを設定する設定手段と、該設定手段によって両面記録が設定された場合に、前記画像に含まれる文字情報以外の情報の量を検出する検出手段と、前記文字情報以外の情報の量と予め定められた閾値を比較する比較手段と、前記画像を構成する個々の画素が有する多値の輝度データをインク色に応じた多値濃度データに変換する第１変換手段と、前記多値濃度データを２値データに変換する第２変換手段と、前記２値データに基づいて前記記録ヘッドよりインクを吐出させる手段とを具備し、前記第１変換手段は、前記輝度データの値が同じであっても、前記比較手段で前記文字情報以外の情報の量が前記閾値以下と判断されたときに前記画素に記録されるインク量が、前記比較手段で前記文字情報以外の情報の量が前記閾値よりも大きいと判断されたときに前記画素に記録されるインク量よりも多くなるように、前記輝度データを前記多値濃度データに変換することを特徴とする。
【手続補正７】
【補正対象書類名】明細書
【補正対象項目名】００１９
【補正方法】変更
【補正の内容】
【００１９】
更にまた、１色以上のインクを吐出する記録ヘッドを用い、画像を形成するインクジェット記録システムにおいて、記録媒体の両面に画像を記録するか否かを設定する設定手段と、該設定手段によって両面記録が設定された場合に、前記画像を構成する個々の画素について文字を構成する画素であるか否かを判断する判断手段と、前記個々の画素が有する多値の輝度データをインク色に応じた多値濃度データに変換する第１変換手段と、前記多値濃度データを２値データに変換する第２変換手段と、前記２値データに基づいて前記記録ヘッドよりインクを吐出させる手段とを具備し、前記第１変換手段は、前記輝度データの値が同じであっても、前記判断手段で文字情報を構成する画素であると判断されたときに前記画素に記録されるインク量が、前記判断手段で文字情報を構成する画素でないと判断されたときに前記画素に記録されるインク量よりも多くなるように、前記輝度データを前記多値濃度データに変換することを特徴とする。